(57)【要約】【課題】  従来まで、衣服の上に装着し水中に転落した時に作動する自動膨張式救命胴衣は存在するが、遊泳時に水中で使用する遊泳専用の膨張式救命胴衣はなかった。この発明は、海水浴等遊泳時に水着姿の胴部に直接巻いて装着し、コンパクトで脱着が容易で幼児から大人まで男女問わずに使用できる遊泳用胴着膨張式救命胴衣を提供する。【解決手段】  浮具１０内部にガス充填装置２２とガスホース容器２０を形成し、それを脱気して折り畳んで浮具収納帯１の内部に収納する。浮具１０と浮具収納帯１は連結紐１５で接続される。一体化された状態で胴部に巻いて浮具収納帯１と浮具１０の各両端連結部をそれぞれ接続装着する。緊急時に手動により操作紐１７を引くことによってガス充填装置２２が作動し、浮具１０内にガスが充填され、膨張して浮輪体になり、浮力を維持できるコンパクトな遊泳用胴着膨張式救命胴衣である。【選択図】    図１
2006273303.tif 000002
【特許請求の範囲】
【請求項１】
非通気性薄膜材料から形成され内部を中空とした環状の袋体の浮具と、この浮具内部にガス充填装置とガスホース容器を構成し気密を保持し、浮具と浮具収納帯とを伸縮性の連結紐で接続し、脱気した浮具を折り畳んで、伸縮性と柔軟性を有する薄膜材料で形成された環状の浮具収納帯内部に接着収納し一体にする。胴部に浮具収納帯を巻いて浮具と浮具収納帯の各両端部を胴部前で重ね合わせて接着連結し装着する。ガス充填装置に操作紐と浮玉を接続し、緊急時に操作紐を手動で引き、浮具内にガスを充填し膨張させると、浮具収納帯が開き浮具が放出されて浮輪体の形態になる。海水浴等の遊泳時に水着姿の胴部に装着し水中で使用でき、脱着が容易で操作も簡単なコンパクトな形態を特徴とした遊泳用胴着膨張式救命胴衣。
【請求項２】
請求項１の発明において、袋体の浮具は内周数箇所に接着用マジックテープと両端に接着用連結具で形成され脱気して折り畳んだ形態である。浮具収納帯は外周に接着用マジックテープと両端に接着用連結具で形成される。折り畳んだ浮具を浮具収納帯の外側に巻いて浮具収納帯外側マジックテープと浮具内側のマジックテープを接着して収納されるコンパクトな形態を特徴とした遊泳用胴着膨張式救命胴衣。
【請求項３】
請求項１の発明において、ガスホース容器は柔軟性と耐圧力性の材料から形成された中空のホース状で、両端に金属製の継ぎ手とその内部に逆止弁が構成される。中空部に液化ガスを封入したガスホース容器とこれに接続したガス充填装置を一体化し浮具に内蔵する操作紐を手動で引くことによりガス充填装置を作動させ浮具を膨張させる。手動式ガス充填装置の構成を特徴とした遊泳用胴着膨張式救命胴衣。
【請求項４】
請求項１の発明において、連結紐は、伸縮性の材料で両端に接続具を有し、浮具が膨張し浮輪体になった時に胴体からの摺り抜け離脱、体の安定性を保持するため、浮具と浮具収納帯又は浮具と水着、が数個所連結され、脱着が簡単にできることを特徴とした遊泳用胴着膨張式救命胴衣。
【請求項５】
請求項１の発明において、浮具収納帯を排除し、浮具のみを折り畳んで直接水着姿の胴部に装着し、浮具と水着を伸縮性の両端に接着用連結具を有した連結紐で接続し、浮具の外部にガスボンベ収納ケースを形成し、その内部にガスボンベとガス供給装置を収納した形態を特徴とした遊泳用胴着膨張式救命胴衣。
【請求項６】
請求項１と請求項５の発明において、浮具を伸縮性と柔軟性のゴムの材料で形成された、環状のゴムチューブの形態を特徴とした遊泳用胴着膨張式救命胴衣。
【請求項７】
請求項１の発明において、水深により圧力の変化を感知し、設定の水深に至った時に作動し膨張する、水深感知自動膨張式ガス充填装置と手動膨張式ガス充填装置で構成された遊泳用胴着膨張式救命胴衣。
【発明の詳細な説明】
【技術分野】
【０００１】  この発明は、海、河川、湖、プール等で遊泳時に安全のために使用される救命胴衣であって、特に遊泳中に水中で溺れかけた場合に浮具を膨張させるようにした膨張式救命胴衣に関する。
【背景技術】
【０００２】  従来迄、海釣り、ボート遊び等の際に安全のために使用される救命具には、緊急事態に浮袋が自動的に膨張するタイプの救命具がある。たとえば萎んだ浮輪体を予め首に引っ掛けて着用する首掛け自動膨張式救命胴衣や、萎んだ浮輪体を予め折り畳んで袋に収納し腰に装着するポシェット型自動膨張式救命胴衣、あるいは萎んだ浮袋をチヨッキとして装着するチヨッキ型の自動膨張式救命胴衣、筒状のゴムを首に巻いて装着する首着自動膨張式救命胴衣、浮輪をベルト内に折り畳み腰に装着する救命具等がこれに該当する。【０００３】  緊急事態に浮袋が自動的に膨張する形態の自動膨張式救命具は、水中に転落した時に、ガス充填装置が水に接触し装置内蔵のピンがガスボンベの封板を開口し浮袋に自動的に炭酸ガスを注入し膨張させる形態である。ガス容器には鉄製のガスボンベが使用されている。
【発明の開示】
【発明が解決しようとする課題】
【０００４】  従来の自動膨張式救命胴衣は、衣服の上に装着し水中に転落した時に自動的に膨張し浮袋として使用される救命具である。又筒状のゴムを首に巻いて装着する首着膨張式救命胴衣は行動中に異物への引っ掛け等による事故の危険性がある。【０００５】  従来の自動ガス充填装置やガスボンベは、水中に転落しガス充填装置が水に接触した時に、浮袋に自動的にガスを注入し膨張させる自動ガス充填装置であり、遊泳中に常時水中で使用できる仕様ではない。装置は嵩張り特に子供への装着は不向きである。
【課題を解決するための手段】
【０００６】  従来迄、遊泳時に水着姿の胴部に装着し水中で使用される遊泳用胴着膨張式救命胴衣はなかった。この発明は海水浴等の遊泳時に水中で使用される救命胴衣である。水着姿の胴部に巻いて装着し、溺れかけた緊急時に手動で操作紐を引き、浮具を膨張させ浮袋の役目を果たす遊泳用胴着膨張式救命胴衣である。【０００７】  ガス充填装置やガス容器は浮具の袋体に内蔵した構成で、ガスホース容器は中空で柔軟性の材料で形成さている。浮具に内蔵することにより、ガスホース容器からのガス洩れの安全性、塩水からの腐蝕防止、直射日光による劣化の防止、柔軟性を有することにより快適な装着感、コンパクト化等を満たすことができ子供の装着に適応する。従来のガス充填装置とガスボンベは嵩張る形態であるが、収納ケースに内蔵し防水することによって大きな浮力を必要とする体格の大きい人に適応させることができる。
【発明の効果】
【０００８】  この発明の遊泳用胴着膨張式救命胴衣の浮具は非通気性の薄膜材料から形成され、内部を中空とした気密性が保持された袋体である。内部にガス充填装置とガスホース容器を内蔵しガス充填装置には操作紐が接続されている。浮具と浮具収納帯を伸縮性の連結紐で接続し、浮具を折り畳んで浮具収納帯内に収納する。この形態で遊泳前に胴部に巻いて、浮具収納帯と浮具の各両端の連結部を胴部の前で重ね合わせ接着し装着する。緊急時に操作紐を手動で引くことによって浮具にガスが充填され膨張し浮具収納帯が開き膨張した浮輪体が放出される。浮具と浮具収納帯を連結紐で接続連結することによって胴体からの摺り抜けや離脱の防止と体の安定性の保持ができる。使用後はガスホース容器の交換のみで再利用ができる。この発明は、遊泳時に水着姿の胴部に装着し水中で使用され、コンパクトで脱着が簡単にでき、簡単な手動操作で浮具を膨張し救命具の役目を果たすことができる遊泳用胴着膨張式救命胴衣である。溺れかけた緊急時に装着者が操作し救命具として使用することは当然のことではあるが、環境状態により装着者が操作できない場合でも他者の操作により救助することが容易である。救助中も浮輪体を被救助者と救助者が共有できる。逆に装着者は未装着者が溺れた時でも救助すること容易である。遊泳者の装着条件は体型、年齢、性別、水着のデザイン等の相違があり、使用場所も海、河川、湖、プール等の違いがある。その日の体調や天候により環境の変化もある。この条件に幼児から大人まで男女問わず誰にでも適応できる形態の遊泳用胴着膨張式救命胴衣である。特に海水浴等の遊泳に関して自然環境の適応に未熟な子供達が装着することによって未然に水難事故の防止の効果が期待できる遊泳用胴着膨張式救命胴衣である。
【発明を実施するための最良の形態】
【０００９】  この発明に係る遊泳用胴着膨張式救命胴衣について、第一の実施例の遊泳用胴着膨張式救命胴衣について説明する。遊泳中は、図２のように胴部に固定装着し使用する。図１は緊急時に操作紐１７を手動で引いてガス充填装置２２を作動し浮具１０を膨張させ浮具収納帯１が開き、膨張した浮具１０が放出されて浮輪体になり、浮具１０と浮具収納帯１は連結紐１５で接続された緊急非常時の形態である【００１０】  浮具収納帯１について図３で説明する。浮具収納帯１は一体で全体が伸縮性、柔軟性を有する薄膜体の材料で形成されている。両端の連結部内側３と連結部外側２は伸縮性のマジックテープを有し胴部に装着する時に重ね合わせて接着する。浮具接着部６は中部に帯状に全周マジックテープで形成されている。下部接着部７と上部接着部８は伸縮性のマジックテープを有し図１２のように浮具１０を収納し重ね合わせて接着する。連結部保護カバー４は浮具１０と浮具収納帯１の両端連結部の保護カバーである。ガス充填装置保護カバー５は図１３のように、ガス充填装置２２の保護カバーである。【００１１】  浮具１０について説明する。浮具１０は非通気性の薄膜材料から形成され、内部を中空とした気密性が保持される袋体である。内部に図８、図１１、図１４のようにガスホース容器２０を内蔵しガスホース容器収納袋１４と図１５のように浮具口２４で形成する。両端部は図４、図９のように連結部ａ１１と連結部ｂ１２に伸縮性のマジックテープを有し装着時に重ね合わせて連結接続する。図８は浮具が膨張時し浮輪体の形態になった平面図である。図４と図１０のように浮具１０の内側の全周数個所に浮具接着部１３のマジックテープを形成する。【００１２】  ガスホース容器２０とガス充填装置２２について図１５と図１６で説明する。ガスホース容器２０は、柔軟性と耐圧力性の材料から形成された円筒中空のホース状で、図１５のように両端に金属製の継ぎ手１９とその内部には図１６のように逆止弁３０を形成し、右端にメクラキヤップ２１、左端にガス充填装置２２が接続された一体の構成である。ガスホース容器２０の内部の中空部に液化ガスを封入し保存する容器である。【００１３】  図１５と図１６はガスホース容器２０とガス充填装置２２が一体に形成され、浮具口２４より浮具１０の内部に挿入し、図１１と図８のようにガスホース容器収納袋１４に収納し、パッキンａ２３，パッキンｂ２５，中空キヤップ２６、オーリングａ２７、オーリングｂ２８、ガス充填装置取付ナット２９を構成し、浮具１０の気密が保持される形態である。図４は浮具１０を脱気して折り畳みコンパクトにした形態であり、調整部１６は浮具１０の長さの調整部分である。図１３のようにガス充填装置２２の作動具３２の先端孔に操作紐１７と浮玉１８を接続する。【００１４】  浮具収納帯１と浮具１０の構成を説明する。図３は浮具収納帯１を環状にした展開図である。図４は浮具１０に図８のようにガス充填２２とガスホース容器２０を内蔵し、浮具１０をコンパクトに折り畳んで長さを調整し環状にした形態である。図５は図３の浮具収納帯１の外側に図４の浮具１０を重ねて、浮具接着部６のマジックテープと浮具１０の浮具接着部１３をマジックテープで接着した形態である。図１の連結紐１５で浮具１０と浮具収納帯１を連結する。図１２、図１３、図１４のように浮具収納帯１に浮具１０を収納し、下部接着部７と上部接着部８を重ね合わせて全周接着した形態を図６で示す。図７は浮具収納帯１の連結部内側３に連結部外側２を重ね合わせ接着し、浮具１０の連結部ａ１１と連結部ｂ１２を重ね合わせ接着し、連結部保護カバー４をした形態で、遊泳時の装着姿図を図２で示す。【００１５】  遊泳用胴着膨張式救命胴衣の緊急時における作動について説明する。図２の装着状態で常時遊泳する。緊急時に操作紐１７を手動で引くと図１７のように作動具３２が操作方向矢印３６に移動し作動具３２が逆止弁ピン３１を押し、それによってガスホース容器２０内の液化ガスが気体となり、放出矢印３７のように浮具１０の内部に充填され膨張し浮具収納帯が開放されて、図１のような浮輪体の形態になる。使用後は浮具口２４を開放し浮具１０内のガスを脱気して内部のガスホース容器２０のみを交換して復旧し再利用できる。【００１６】  この発明の、第二の実施例の遊泳用胴着膨張式救命胴衣について説明する。前述した第一の実施例の遊泳用胴着膨張式救命胴衣との相違点は、浮具１０と浮具収納帯１とガス供給装置３５とガスボンベ３４の構成のみであり、他の構成は同一であることから同一構成部分には同一符号を符し、その説明は省略する。【００１７】  遊泳用胴着膨張式救命胴衣はコンパクトで適宜な装着感と機能性が必要である。装着する人の体型と年齢の相違に適応した形態が求められる。体重と浮力のバランスを保持するために体重の多い人は多くのガス供給量が必要となり、ガス供給装置３５やガスボンベ３４も大型のサイズとなる。大きい体格の人に適応できる第二の実施例の遊泳用胴着膨張式救命胴衣を提供する。【００１８】  図１９は浮具収納帯１を排除し浮具１０のみを折り畳んで胴部に直接装着した形態である。円筒状のガスボンベ収納ケース３８にガス供給装置３５とガスボンベ３４を内蔵させ、操作紐１７を接続し、これを浮具１０の外部に設置した形態である。連結紐１５は浮具１０と水着と接続される。【００１９】  図１８は、緊急時に手動で操作紐１７を引いてガス供給装置３５内蔵のピンでガスボンベ３４の封板に穴をあけ開封して浮具１０内にガスを供給し膨張させた形態の姿図である【００２０】  浮具１０は、伸縮性と柔軟性を有する環状のゴムチューブ材料で形成された浮輪体も適応する。【００２１】  遊泳中に潜ることもありえるが、水深の深さで圧力の変化を感知し、一定の設定の水深に至った時に作動する水深感知自動膨張式ガス充填装置と手動膨張式ガス充填装置の併用で構成された形態のガス充填装置も適応する。
【図面の簡単な説明】
【００２２】
【図１】第一の実施例の遊泳用胴着膨張式救命胴衣を胴部に装着し、緊急時に浮具１０を膨張させた姿図である。
【図２】第一の実施例の遊泳用胴着膨張式救命胴衣を胴部に装着し、遊泳中常時使用する時の姿図である。
【図３】浮具収納帯１を展開し帯状の形態にした環状の斜図である。
【図４】浮具１０を折り畳んでコンパクトにした環状の斜図である。
【図５】浮具収納帯１の外周に浮具１０を接着させた形態の環状の斜図である。
【図６】浮具収納帯１に浮具１０が収納された装着前の環状の斜図である。
【図７】遊泳用胴着膨張式救命胴衣の外観図である。
【図８】浮具１０が膨張した浮輪体で、その一部分を断面で表した平面図である。
【図９】浮具１０の両端連結部のマジックテープ接着部の詳細図である。
【図１０】図８の、浮具１０が膨張し浮輪体に形成されたＡ−Ａ矢視断面図である
【図１１】図８の、浮具１０が膨張し浮輪体に形成されたＢ−Ｂ矢視断面図である
【図１２】浮具収納帯１に浮具１０を収納した断面図である。
【図１３】浮具収納帯１に浮具１０とガス充填装置２２を収納した断面図である。
【図１４】浮具収納帯１に浮具１０とガスホース容器２０を収納した断面図である
【図１５】ガス充填装置２２とガスホース容器２０と浮具１０等の構成図ある。
【図１６】ガス充填装置２２とガスホース容器２０と浮具１０等の詳細断面図である。
【図１７】ガス充填装置２２の作動状態を示す詳細断面図である。
【図１８】第二の実施例の遊泳用胴着膨張式救命胴衣を胴部に装着し、緊急時に浮具１０を膨張させた姿図である。
【図１９】第二の実施例の遊泳用胴着膨張式救命胴衣を胴部に装着し、遊泳中常時使用する時の姿図である。
【符号の説明】
【００２２】１    浮具収納帯
２    連結部外側
３    連結部内側
４    連結部保護カバー
５    ガス充填装置保護カバー
６    浮具接着部
７    下部接着部
８    上部接着部
９    浮具収納帯切断部
１０  浮具
１１  連結部ａ
１２  連結部ｂ
１３  浮具接着部
１４  ガスホース容器収納袋
１５  連結紐
１６  長さ調整部
１７  操作紐
１８  浮玉
１９  継ぎ手
２０  ガスホース容器
２１  メクラキャツプ
２２  ガス充填装置
２３  パッキンａ
２４  浮具口
２５  パッキンｂ
２６  中空キャツプ
２７  オーリングａ
２８  オーリングｂ
２９  ガス充填装置取り付けナット
３０  逆止弁
３１  逆止弁ピン
３２  作動具
３３  ガス
３４  ガスボンベ
３５  ガス供給装置
３６  操作矢印
３７  ガス放出矢印
３８  ガスボンベ収納ケース
【図１】
2006273303.tif 000003
【図２】
2006273303.tif 000004
【図３】
2006273303.tif 000005
【図４】
2006273303.tif 000006
【図５】
2006273303.tif 000007
【図６】
2006273303.tif 000008
【図７】
2006273303.tif 000009
【図８】
2006273303.tif 000010
【図９】
2006273303.tif 000011
【図１０】
2006273303.tif 000012
【図１１】
2006273303.tif 000013
【図１２】
2006273303.tif 000014
【図１３】
2006273303.tif 000015
【図１４】
2006273303.tif 000016
【図１５】
2006273303.tif 000017
【図１６】
2006273303.tif 000018
【図１７】
2006273303.tif 000019
【図１８】
2006273303.tif 000020
【図１９】
2006273303.tif 000021